(57)【要約】【課題】レンズ型記録媒体の凹凸状の嵌合作業がやりやすくなる印刷媒体搬送装置及び印刷媒体搬送方法を提供する。【解決手段】印刷媒体搬送装置は、嵌合部３０を有する搬送手段１４と、搬送手段１４の嵌合部３０と所定の方向に嵌合する嵌合部３２と、レンズ型記録媒体Ｌをそのレンズ体２４を下側にして載置する載置面４０と、載置面４０から突出し、レンズ体２４のレンズ部４６に対して所定の方向で係合する係合部３８と、レンズ型記録媒体Ｌを載置面４０に固定する接着部４２と、を備える印刷媒体搬送用トレイ１２と、を含む。【選択図】図１
2011201217.tif 000002
【特許請求の範囲】
【請求項１】
嵌合部を有する搬送手段と、
前記搬送手段の前記嵌合部と所定の方向に嵌合する嵌合部と、レンズ型記録媒体をそのレンズ体を下側にして載置する載置面と、該載置面から突出し、前記レンズ体のレンズ部に対して所定の方向で係合する係合部と、前記レンズ型記録媒体を前記載置面に固定する接着部と、を備える印刷媒体搬送用トレイと、
を含むことを特徴とする印刷媒体搬送装置。
【請求項２】
請求項１に記載の印刷媒体搬送装置において、
前記嵌合部は、互いに嵌合する凹部と凸部とであることを特徴とする印刷媒体搬送装置。
【請求項３】
請求項１又は２に記載の印刷媒体搬送装置において、
前記嵌合部は、複数配設されていることを特徴とする印刷媒体搬送装置。
【請求項４】
請求項１〜３のいずれか一項に記載の印刷媒体搬送装置において、
前記嵌合部の位置は、搬送時、ヘッドの下を通過しない領域にあることを特徴とする印刷媒体搬送装置。
【請求項５】
請求項１〜４のいずれか一項に記載の印刷媒体搬送装置において、
前記嵌合部の形状は、曲線の組合せであったり、多角形の組合せであったりすることを特徴とする印刷媒体搬送装置。
【請求項６】
請求項１〜５のいずれか一項に記載の印刷媒体搬送装置において、
前記係合部は、前記レンズ体の配設ピッチの整数倍で複数設けられていることを特徴とする印刷媒体搬送装置。
【請求項７】
請求項１〜６のいずれか一項に記載の印刷媒体搬送装置において、
前記係合部の形状は、蒲鉾状、レンズ状、三角状、プリズム状、又は球状のうち少なくとも１つを含むことを特徴とする印刷媒体搬送装置。
【請求項８】
請求項７に記載の印刷媒体搬送装置において、
前記球状は、前記レンズ体の配設ピッチに合わせて２次元的に配置していることを特徴とする印刷媒体搬送装置。
【請求項９】
請求項８に記載の印刷媒体搬送装置において、
前記２次元的に配置される前記球状の配設ピッチの間隔は、縦・横で異なることを特徴とする印刷媒体搬送装置。
【請求項１０】
請求項１〜９のいずれか一項に記載の印刷媒体搬送装置において、
前記印刷媒体搬送用トレイは、レンチキュラーレンズであり、
前記印刷媒体搬送用トレイの前記嵌合部は、前記レンチキュラーレンズに孔を設けた構成であることを特徴とする印刷媒体搬送装置。
【請求項１１】
請求項１〜１０のいずれか一項に記載の印刷媒体搬送装置において、
前記搬送手段の前記嵌合部は、前記印刷媒体搬送用トレイ以外の記録媒体を収容することを特徴とする印刷媒体搬送装置。
【請求項１２】
嵌合部を有する搬送手段と、
前記搬送手段の前記嵌合部と所定の方向に嵌合する嵌合部と、レンズ型記録媒体をそのレンズ体を下側にして載置する載置面と、該載置面から突出し、前記レンズ体のレンズ部に対して所定の方向で係合する係合部と、前記レンズ型記録媒体を前記載置面に固定する接着部と、を備える印刷媒体搬送用トレイと、
で構成し、
前記搬送手段に、前記レンズ型記録媒体が載置された前記印刷媒体搬送用トレイを所定の方向に嵌合して搬送する印刷媒体搬送方法。
【発明の詳細な説明】
【技術分野】
【０００１】
本発明は、印刷媒体搬送装置及び印刷媒体搬送方法に関するものである。
【背景技術】
【０００２】
記録層に重ねてレンチキュラーレンズを有し、記録層に記録された画像をレンチキュラーレンズを介して、立体画像あるいは見る角度によって見える画像の形態等が変わる変り絵画像として見ることができる記録媒体が従来から知られている。かかる記録媒体に記録された画像を所定の立体画像あるいは変り絵画像として見ることができるようにするためには、記録層への記録位置をレンチキュラーレンズのレンズ配列に精度良く対応させて行う必要がある。そのため、例えば、特許文献１には、レンズ付専用紙と搬送面上の凹凸状とを嵌合することで搬送角度精度を向上させる手段が開示されている。また、特許文献２には、特許文献１と同様にレンズ付専用紙をトレイ上の凹凸状とを嵌合する手段が開示されている。
【先行技術文献】
【特許文献】
【０００３】
【特許文献１】特開２００９−０７３６５１号公報
【特許文献２】特開２００７−１３０７６９号公報
【発明の概要】
【発明が解決しようとする課題】
【０００４】
しかしながら、特許文献１の手段による場合は、レンズ付専用紙をプリンター上のガイドにセットする作業があり、その作業は、多少の慣れが必要である。素人が行う場合、人によってセットする時間が多くなったり、また立姿勢や着席姿勢などの作業姿勢によっても時間に差がでたりしやすい虞がる。
【０００５】
また、特許文献２の手段による場合は、専用紙用の凸部がＤＶＤ用の凹部と干渉しないように配置することで、トレイサイズが大きくなりやすい。それによって、専用紙を凸ガイドにセットする作業は負担が大きくなる虞がある。
【課題を解決するための手段】
【０００６】
本発明は、上述の課題の少なくとも一部を解決するためになされたものであり、以下の形態又は適用例として実現することが可能である。
【０００７】
［適用例１］嵌合部を有する搬送手段と、前記搬送手段の前記嵌合部と所定の方向に嵌合する嵌合部と、レンズ型記録媒体をそのレンズ体を下側にして載置する載置面と、該載置面から突出し、前記レンズ体のレンズ部に対して所定の方向で係合する係合部と、前記レンズ型記録媒体を前記載置面に固定する接着部と、を備える印刷媒体搬送用トレイと、を含むことを特徴とする印刷媒体搬送装置。
【０００８】
これによれば、印刷媒体搬送用トレイと搬送手段とを用い、印刷媒体搬送用トレイの載置面にレンズ型記録媒体と係合する係合部を設けることで、レンズ型記録媒体の凹凸状の凹凸合わせがやりやすくなる印刷媒体搬送装置を提供する。
【０００９】
これにより、観光地の記念プリントサービスなどでの現場でのプリント作業の時間が短縮できる。印刷媒体搬送用トレイとレンズ型記録媒体とを合わせた印刷媒体搬送用トレイ付レンズ型記録媒体を事前に必要な数だけ作成しておけば、現場でのレンズ型記録媒体の取扱いは、印刷媒体搬送用トレイを搬送手段に嵌め込むといった単純な作業で済ますことができる。
【００１０】
また、印刷媒体搬送用トレイと搬送手段との分離構成により、凹凸合わせ作業が、自由な姿勢で手元でできる。また、必要最低限のサイズですむため特許文献２に比べてスペースが小さくすることができるので、レンズ型記録媒体の凹凸合わせ作業が容易になる。
【００１１】
［適用例２］上記印刷媒体搬送装置であって、前記嵌合部は、互いに嵌合する凹部と凸部とであることを特徴とする印刷媒体搬送装置。
【００１２】
これによれば、簡単な構成で印刷媒体搬送用トレイと搬送手段との位置決めができる。また、印刷媒体搬送用トレイと搬送手段との位置決めを確実に維持することができる。
【００１３】
［適用例３］上記印刷媒体搬送装置であって、前記嵌合部は、複数配設されていることを特徴とする印刷媒体搬送装置。
【００１４】
これによれば、レンズ型記録媒体の搬送方向をより一定に維持することができ、レンズ型記録媒体への記録位置の精度が向上する。
【００１５】
［適用例４］上記印刷媒体搬送装置であって、前記嵌合部の位置は、搬送時、ヘッドの下を通過しない領域にあることを特徴とする印刷媒体搬送装置。
【００１６】
これによれば、嵌合部の強度を容易に確保することができ、レンズ型記録媒体への記録位置の精度が向上する。
【００１７】
［適用例５］上記印刷媒体搬送装置であって、前記嵌合部の形状は、曲線の組合せであったり、多角形の組合せであったりすることを特徴とする印刷媒体搬送装置。
【００１８】
これによれば、搬送手段と印刷媒体搬送用トレイとの嵌合部を一意に定まる形状の組合せにすることが可能となり、差し込みの間違いを防止できる。
【００１９】
［適用例６］上記印刷媒体搬送装置であって、前記係合部は、前記レンズ体の配設ピッチの整数倍で複数設けられていることを特徴とする印刷媒体搬送装置。
【００２０】
これによれば、レンズ型記録媒体のレンチキュラーレンズが複数の係合部に係合するため、レンズ型記録媒体の搬送方向の維持が確実なものとなり、レンズ型記録媒体への記録位置の精度をより向上させることができる。
【００２１】
［適用例７］上記印刷媒体搬送装置であって、前記係合部の形状は、蒲鉾状、レンズ状、三角状、プリズム状、又は球状のうち少なくとも１つを含むことを特徴とする印刷媒体搬送装置。
【００２２】
これによれば、係合部を容易に形成することができる。
【００２３】
［適用例８］上記印刷媒体搬送装置であって、前記球状は、前記レンズ体の配設ピッチに合わせて２次元的に配置していることを特徴とする印刷媒体搬送装置。
【００２４】
これによれば、レンズ型記録媒体を用途に応じて印刷媒体搬送用トレイ上に縦置きあるいは横置きに配置することができる。
【００２５】
［適用例９］上記印刷媒体搬送装置であって、前記２次元的に配置される前記球状の配設ピッチの間隔は、縦・横で異なることを特徴とする印刷媒体搬送装置。
【００２６】
これによれば、印刷媒体搬送用トレイにて２次元配置の縦・横のピッチ間隔を変えることで、２種類のレンズ解像度に対応することができる。
【００２７】
［適用例１０］上記印刷媒体搬送装置であって、前記印刷媒体搬送用トレイは、レンチキュラーレンズであり、前記印刷媒体搬送用トレイの前記嵌合部は、前記レンチキュラーレンズに孔を設けた構成であることを特徴とする印刷媒体搬送装置。
【００２８】
これによれば、印刷媒体搬送用トレイに設けた凹凸は、レンズピッチのため、印刷媒体搬送用トレイにセットするレンズ型記録媒体のレンズ谷の位置は明白になる。
【００２９】
［適用例１１］上記印刷媒体搬送装置であって、前記搬送手段の前記嵌合部は、前記印刷媒体搬送用トレイ以外の記録媒体を収容することを特徴とする印刷媒体搬送装置。
【００３０】
これによれば、搬送手段の嵌合部をＤＶＤとレンズ型記録媒体との兼用にすることで専用紙にて画質劣化がなくなる。特許文献２では専用紙がＤＶＤの凹部分を跨る構成であったが、その構成では用紙押さえや用紙の自重により、凹み部分でシートが撓み、プラテン距離が変わってしまう。そのため、サテライトインクなどの発生により画質が若干劣る可能性がある。しかし、本発明では、ＤＶＤと印刷媒体搬送用トレイの嵌合部は、干渉せずに取り付けられるので、その問題が発生しない。また、ＤＶＤが２つ同時に印刷できるようにしてもよい。
【００３１】
［適用例１２］嵌合部を有する搬送手段と、前記搬送手段の前記嵌合部と所定の方向に嵌合する嵌合部と、レンズ型記録媒体をそのレンズ体を下側にして載置する載置面と、該載置面から突出し、前記レンズ体のレンズ部に対して所定の方向で係合する係合部と、前記レンズ型記録媒体を前記載置面に固定する接着部と、を備える印刷媒体搬送用トレイと、で構成し、前記搬送手段に、前記レンズ型記録媒体が載置された前記印刷媒体搬送用トレイを所定の方向に嵌合して搬送する印刷媒体搬送方法。
【００３２】
これによれば、２つの印刷媒体搬送用トレイと搬送手段とを用い、印刷媒体搬送用トレイの載置面にレンズ型記録媒体と係合する係合部を設けることで、レンズ型記録媒体の凹凸状の嵌合作業がやりやすくなる印刷媒体搬送方法を提供する。
【図面の簡単な説明】
【００３３】
【図１】本実施形態に係るプリンターの概略の構成を示す概略構成図。
【図２】図１に示す部分Ｒの拡大図。
【図３】本実施形態に係るレンズトレイを示す図。
【図４】レンズトレイの係合部の他の形態例を示す図。
【図５】レンズトレイの係合部のエリアの他の形態例を示す図。
【図６】レンズトレイのプリンタートレイ嵌合部の形状位置の他の形態例を示す図。
【図７】ガイド付きレンズシートのガイド改良を示す図。
【図８】ガイド付きレンズシートに対応するプリンタートレイを示す図。
【図９】プリンタートレイを示す図。
【図１０】ガイドレールの他の形態例（サイドガイド）を示す図。
【図１１】プリンタートレイとレンズトレイとの嵌合部の形態例を示す図。
【図１２】プリンタートレイとレンズトレイとの嵌合部の形状の他の形態例を示す図。
【図１３】レンズトレイ付レンズシートを示す図。
【発明を実施するための形態】
【００３４】
以下に、本実施形態に係る印刷媒体搬送装置としてのプリンター２について、図を参照しながら説明する。
【００３５】
図１は、本実施形態に係るプリンター２の概略の構成を示す概略構成図である。図１（Ａ）は、プリンター２を上方から見た平面図であり、図１（Ｂ）は、プリンター２の断面図である。図２は、図１（Ａ）に示す部分Ｒの拡大図である。なお、図１（Ｂ）において、レンズ型記録媒体としてのレンズシートＬがプリンター２内に進行する方向である矢印Ｘの方向を後方（後側）とし、この反対方向を前方（前側）とする。また、前方から後方に向かって右手方向となる矢印Ｙの方向を右方（右側）とし、この反対方向である左手方向を左方（左側）とする。
そして、矢印Ｚの方向を上方（上側）とし、この反対方向を下方（下側）として、以下の説明を行うこととする。
【００３６】
プリンター２は、図１に示すように、外装体である筐体１０と、レンズシートＬ（図中点線で示す）を下側から支持する印刷媒体搬送用トレイとしてのレンズトレイ１２と、レンズトレイ１２が載置された搬送手段としてのプリンタートレイ１４を前方から後方又は後方から前方に向けて搬送する搬送ローラー１６と、レンズシートＬに対して記録を行う記録ヘッド１８と、を備えている。プリンター２は、従属ローラー２０，２２を備えてもよい。
【００３７】
レンズシートＬは、図２に示すように、透明な樹脂シートの一方の面にレンチキュラーレンズ２４が形成され、他方の面に画像形成層２６が形成されている。このレンズシートＬは、画像形成層２６に記録された画像をレンチキュラーレンズ２４を介して視認することができるように構成されている。したがって、例えば、画像形成層２６に、レンチキュラーレンズ２４の配設ピッチや焦点距離等に対応させて視差のある画像を記録し、この画像をレンチキュラーレンズ２４の側から視認すると、立体感のある画像として、あるいは見る角度によって異なる画像として視認することができるというものである。なお、レンズシートＬは画像形成層２６を形成することなく、レンチキュラーレンズ２４が形成される側と反対の面の樹脂部に直接記録を行う構成のものとしてもよい。
【００３８】
筐体１０の前側の側面には、レンズシートＬを筐体１０内に供給又は供給されたレンズシートＬを排出するための給排紙開口部２８が形成されている。給排紙開口部２８からプリンター２に供給されたレンズシートＬは、搬送ローラー１６及び従属ローラー２０，２２により後方に向かって搬送されるとともに、記録ヘッド１８により記録が行われた後、搬送ローラー１６及び従属ローラー２０，２２により前方に向かって搬送され給排紙開口部２８からプリンター２の外部に排出される。
【００３９】
図３は、本実施形態に係るレンズトレイ１２を示す図である。レンズトレイ１２は、搬送ローラー１６の上方及び従属ローラー２０，２２の下方に配設され、全体として矩形の板状体を呈している。このレンズトレイ１２は、図３に示すように、プリンタートレイ１４の嵌合部としてのレンズトレイ嵌合部３０と、所定の方向に嵌合する嵌合部としてのプリンタートレイ嵌合部３２と、レンズシートＬをそのレンズ体としてのレンチキュラーレンズ２４を下側にして載置する載置面４０と、載置面４０から突出し、レンズシートＬのレンチキュラーレンズ２４のレンズ部としてのレンズ要素４６に対して所定の方向としての主走査方向で係合する係合部３８と、レンズシートＬをレンズトレイ１２の載置面４０に固定する接着部４２と、を備えている。レンズトレイ１２の左右の幅方向については、載置されるレンズシートＬの全幅に亘って支持できる幅となっている。レンズトレイ１２は、レンチキュラーレンズであってもよい。その際レンズトレイ１２のプリンタートレイ嵌合部３２は、レンチキュラーレンズに孔を設けた構成であってもよい。これにより、レンズトレイ１２に設けた凹凸は、レンズピッチのため、レンズトレイ１２にセットするレンズシートＬのレンズ谷の位置は明白になる。
【００４０】
レンズトレイ１２は、図２に示すように、樹脂等から形成される板状体の基板４４と、係合部３８とを備えている。係合部３８は、基板４４においてレンズシートＬを支持する側の面である支持面としての載置面４０に設けられていて、レンチキュラーレンズ２４と同一形状に形成されている。すなわち、レンチキュラーレンズ２４を形成する各レンズ要素４６（例えば、シリンドリカルレンズ）と同一形状の線条の凸条４８がレンチキュラーレンズ２４の配設ピッチと同一ピッチでレンズシートＬの幅よりも広い幅に亘って並設されている。凸条４８の長手方向、すなわち凸条４８の母線（稜線）方向は、レンズシートＬの所定の搬送方向、すなわち搬送ローラー１６及び従属ローラー２０，２２に直交する方向に沿って形成されている。
【００４１】
レンズトレイ１２の係合部３８は、レンズシートＬのレンチキュラーレンズ２４の配設ピッチの整数倍で複数設けられていてもよい。これにより、レンズシートＬのレンチキュラーレンズ２４が複数の係合部３８に係合するため、レンズシートＬの搬送方向の維持が確実なものとなり、レンズシートＬへの記録位置の精度をより向上させることができる。
【００４２】
係合部３８の形状は、蒲鉾状、レンズ状、三角状、プリズム状、又は球状のうち少なくとも１つを含んでいてもよい。これにより、係合部３８を容易に形成することができる。
【００４３】
球状は、レンチキュラーレンズ２４の配設ピッチに合わせて２次元的に配置していてもよい。これにより、レンズシートＬを用途に応じてレンズトレイ１２上に縦置きあるいは横置きに配置することができる。
【００４４】
２次元的に配置される球状の配設ピッチの間隔は、縦・横で異なっていてもよい。これにより、レンズトレイ１２にて２次元配置の縦・横のピッチ間隔を変えることで、２種類のレンズ解像度に対応することができる。
【００４５】
図４は、レンズトレイ１２の係合部３８の他の形態例を示す図である。レンズトレイ１２にてレンズシートＬのレンチキュラーレンズ２４をガイドする係合部３８の凹凸の形状は、図４（Ａ）に示す蒲鉾状、レンズ状、あるいは図４（Ｂ）に示す三角状、プリズム状、などであってもよい。また、係合部３８の凹凸の形状は、図４（Ｃ）に示すように、１つであってもよい。さらに、係合部３８の凹凸の形状は、図４（Ｄ）に示すように、レンズピッチに合わせて球状を２次元的に配置してもよい。
【００４６】
図５は、レンズトレイ１２の係合部３８のエリアの他の形態例を示す図である。レンズトレイ１２の係合部３８は、図５に示すように、レンチキュラーレンズそのものを採用してもよい。その際のレンズトレイ１２のプリンタートレイ嵌合部３２は穴を設けた構成でもよい。
【００４７】
図６は、レンズトレイ１２のプリンタートレイ嵌合部３２の形状位置の他の形態例を示す図である。レンズトレイ１２に設けたプリンタートレイ嵌合部３２の位置は、嵌合部同士が干渉しなければどこにおいてもよい。例えば図６に示すように、係合部３８の領域内にプリンタートレイ嵌合部３２を設けてもよい。
【００４８】
なお、レンズトレイ１２に設けるレンズシートＬのレンズ配置方向は、キャリッジ（図示せず）に対して、平行と直交のどちらでもよい。ただし、主走査側と副走査側とで描画の位置精度に差がある場合は、精度が良い走査側に対してレンズ長手方向が直交するほうが望ましい。これはレンズ内の視差位置が画質に影響するためである。
【００４９】
図７は、ガイド付きレンズシートＭのガイド改良を示す図である。図７（Ａ）は、ガイド付きレンズシートＭを示す断面図であり、図７（Ｂ）は、ガイド付きレンズシートＭのガイド裏面５０を示す図である。図８は、ガイド付きレンズシートＭに対応するプリンタートレイ１４を示す図である。ガイド付きレンズシートＭのガイド裏面５０には、図７（Ｂ）に示すように、プリンタートレイ嵌合部３２が備えられていてもよい。このようにガイド付きレンズシートＭのガイド形状を改良してもよい。また、図７（Ｃ）に示すように、凹み５２を設けてプリンタートレイ嵌合部３２を形成してもよい。また、このガイド付きレンズシートＭをプリンタートレイ１４に載置する場合、図８に示すように、プリンタートレイ１４に空洞５４を設けることによりガイド付きレンズシートＭに対応するように構成してもよい。
【００５０】
本実施形態では、レンズトレイ１２の係合部３８は、レンチキュラーレンズ２４と同一部材により形成されている。すなわち、レンチキュラーレンズ２４の凸面を上方に向けたレンズシートＬを基板４４の載置面４０に貼り付けることで、基板４４に係合部３８を備えることとしている。このように、係合部３８をレンズシートＬにより形成することで、容易に基板４４上に係合部３８を設けることができる。なお、基板４４を樹脂成形により作成する場合には、成形金型に予め係合部３８に対応する型面を形成して、係合部３８を基板４４と一体に成形するようにしてもよい。このように基板４４に係合部３８を一体に樹脂成形する場合には、基板４４を形成する樹脂材をフッ素樹脂等の低摩擦の樹脂材とすることで、レンズシートＬと係合部３８との摩擦を小さくすることができ、レンズシートＬの搬送をスムーズに行うことができる。また、基板４４を金属板により形成してもよい。この場合には、金属板を切削加工することにより係合部３８を形成することができる。
【００５１】
プリンタートレイ１４は、レンズトレイ１２を搬送する。プリンタートレイ１４は、レンズトレイ１２が所定の方向で位置決めされるレンズトレイ嵌合部３０を備えている。レンズトレイ嵌合部３０は、レンズトレイ１２以外の記録媒体を収容してもよい。これにより、プリンタートレイ１４のレンズトレイ嵌合部３０をＤＶＤとレンズシートＬとの兼用にすることで専用紙にて画質劣化がなくなる。
【００５２】
プリンタートレイ１４とレンズトレイ１２との嵌合部３０，３２は、互いに嵌合する凹部と凸部とであってもよい。これにより、簡単な構成でレンズトレイ１２とプリンタートレイ１４との位置決めができる。また、レンズトレイ１２とプリンタートレイ１４との位置決めを確実に維持することができる。
【００５３】
互いの嵌合部３０，３２は、複数配設されていてもよい。これにより、レンズシートＬの搬送方向をより一定に維持することができ、レンズシートＬへの記録位置の精度が向上する。
【００５４】
互いの嵌合部３０，３２の形状は、曲線の組合せであったり、多角形の組合せであったりしてもよい。これにより、プリンタートレイ１４とレンズトレイ１２との嵌合部３０，３２を一意に定まる形状の組合せにすることが可能となり、差し込みの間違いを防止できる。
【００５５】
図９は、プリンタートレイ１４を示す図である。図９（Ａ）は、ＤＶＤ印刷と兼用のレンズトレイ嵌合部３０を示す図である。図９（Ｂ）は、プリンタートレイ１４及びレンズトレイ１２の嵌合部３０，３２が１つの状態を示す図である。プリンタートレイ１４は、図９（Ａ）に示すように、１つ以上のレンズトレイ嵌合部３０を備え、ＤＶＤの印刷面に印刷するＤＶＤ印刷と兼用の嵌合部であってもよい。
【００５６】
またプリンタートレイ１４は、１つのレンズトレイ嵌合部３０の構成であってもよい。例えばレンズトレイ嵌合部３０は、図９（Ｂ）に示すように、ＤＶＤを保持する円柱凸５６と、円柱凸５６内にレンズトレイ１２のプリンタートレイ嵌合部３２を嵌合する穴５８とを備えていてもよい。その際、穴５８はプリンタートレイ１４とレンズトレイ１２との方向が一意に定まる形状であってもよい。
【００５７】
プリンタートレイ１４は、図１に示すように、プリンターアタッチメントとして、プリンター２の外のプリンター接合部６０に、プリンタートレイ１４のガイド機能を持たせるガイドレール６２を備えてもよい。ガイドレール６２は、ガイドレール設置部６４に載置されている。プリンタートレイ１４は、ガイドレール６２上をスライドするガイド保持部６６と結合することで、ガイドレール６２上をスライドする。
【００５８】
またプリンタートレイ１４は、キャリッジ走査方向に対してガイドレール６２が直交する方向に調整できる機構を備えてもよい。例えば、ガイドレール設置部６４のプリンター接合部６０と接合される部分の一方の端部に回転軸部６８を設け、この回転軸部６８を中心に他方の端部に設けたバネ７０とマイクロメーター７２とで、このマイクロメーター７２を調整することで行ってもよい。この際、ガイドレール設置部６４の下部のプリンター接合部６０が接合する辺と対向する辺側にガイドレール設置部６４が動き易いようにベアリング部７４を設けてもよい。
【００５９】
図１０は、ガイドレール６２の他の形態例（サイドガイド）を示す図である。図１０（Ａ）は、ガイドレール６２の上面図であり。図１０（Ｂ）は、ガイドレール６２の断面図である。ガイドレール６２は、図１０（Ａ）に示すように、プリンタートレイ１４の両サイドをガイドするサイドガイドであってもよい。その際、プリンタートレイ１４の動きを容易にするため、図１０（Ｂ）に示すように、プリンタートレイ１４とガイドレール６２との間にベアリング７６等を設けてもよい。
【００６０】
図１１は、プリンタートレイ１４とレンズトレイ１２との嵌合部３０，３２の形態例を示す図である。図１１（Ａ）は、プリンタートレイ１４のレンズトレイ嵌合部３０が凸形状であり、図１１（Ｂ）は、プリンタートレイ１４のレンズトレイ嵌合部３０が凹形状である。プリンタートレイ１４とレンズトレイ１２との嵌合部３０，３２は、どちらがオスあるいはメスになってもよい。例えば図１１（Ａ）に示すように、プリンタートレイ１４のレンズトレイ嵌合部３０が凸形状で、レンズトレイ１２のプリンタートレイ嵌合部３２が孔であってもよい。なお、孔は貫通していなくてもよい。また、図１１（Ｂ）に示すように、プリンタートレイ１４のレンズトレイ嵌合部３０が凹形状で、レンズトレイ１２のプリンタートレイ嵌合部３２が凸形状であってもよい。
【００６１】
図１２は、プリンタートレイ１４とレンズトレイ１２との嵌合部３０，３２の形状の他の形態例を示す図である。図１２（Ａ）は、嵌合部３０，３２がひょうたん形状であり、図１２（Ｂ）は、嵌合部３０，３２が三角形状である。プリンタートレイ１４とレンズトレイ１２との嵌合部３０，３２の形状は、曲線の組合せであってもよい。例えば図１２（Ａ）に示すように、ひょうたん形状であってもよい。また、嵌合部３０，３２の形状は、多角形の組合せであってもよい。例えば図１２（Ｂ）に示すように、三角形状であってもよい。さらに、プリンタートレイ１４とレンズトレイ１２との嵌合部３０，３２は、一意に定まる形状であってもよい。これにより差し込み方向の間違いを防止できる。
【００６２】
図１に戻り、記録ヘッド１８の前後には、搬送ローラー１６と従属ローラー２０，２２とが配設されている。搬送ローラー１６と従属ローラー２０，２２とは、それぞれ図示を省略する搬送用モーターと従属用モーターとにより回転駆動され、プリンタートレイ１４を前方から後方又は後方から前方に向けて搬送することにより、プリンタートレイ１４の上に載置されているレンズトレイ１２、及びレンズトレイ１２の上に載置されているレンズシートＬを前方から後方又は後方から前方に向けて搬送する。
【００６３】
記録ヘッド１８は、図示を省略するキャリッジの下側に備えられている。この記録ヘッド１８は、キャリッジの上部に配設される図示を省略するインクカートリッジからインクの供給を受け、図示を省略する複数のノズル部から、記録ヘッド１８の下側を搬送されるレンズシートＬなどの印刷媒体に対してインク滴が吐出される。なお、この記録ヘッド１８は、例えば、いわゆるピエゾ素子型、あるいはバブルジェット（登録商標）型の印刷ヘッドとして構成されている。
【００６４】
したがって、搬送ローラー１６と従属ローラー２０，２２とによるレンズシートＬの搬送方向である副走査方向への搬送を制御するとともに、記録ヘッド１８の移動方向である主走査方向、すなわち左右方向への移動についても制御することで、記録ヘッド１８をレンズシートＬの所定位置に移動することができ、レンズシートＬの所望の位置に画像を記録することができる。なお、レンズシートＬは、画像形成層２６の側を記録ヘッド１８に対向され、レンチキュラーレンズ２４の側が係合部３８に接触するようにレンズトレイ１２に載置される。つまり、記録ヘッド１８は画像形成層２６に対して記録を行い、レンチキュラーレンズ２４の側から画像形成層２６に記録された画像を視認することができる記録物が製作されることになる。
【００６５】
上述したように、構成されるプリンター２によりレンズシートＬに対して記録を行う場合には、レンズシートＬを、レンチキュラーレンズ２４の側をレンズトレイ１２の係合部３８に向けてレンズトレイ１２の上に載置する。レンズシートＬはレンズトレイ１２の載置面４０上の接着部４２により載置面４０に固定される。このレンズシートＬが載置されたレンズトレイ１２を、互いの嵌合部３０，３２を嵌合するようにプリンタートレイ１４の上に載置する。係合部３８とレンチキュラーレンズ２４とは同一形状であるため、図２に示すように、レンズトレイ１２上に載置されたレンズシートＬは、レンチキュラーレンズ２４を構成するレンズ要素４６と凸条４８とが互いに噛み合い、レンズシートＬは、係合部３８及び互いの嵌合部３０，３２により左右方向（主走査方向）の位置決めが行われた状態となる。また、凸条４８は、その母線（稜線）方向がレンズシートＬの所定の搬送方向である主走査方向に直交する方向に沿うように形成されている。したがって、レンズシートＬが搬送ローラー１６と従属ローラー２０，２２とによって搬送される際には、係合部３８及び互いの嵌合部３０，３２により主走査方向に直交する方向にガイドされた状態で搬送される。つまり、レンズトレイ１２を、凸条４８の母線（稜線）方向、すなわち係合部３８のガイド方向が、レンズシートＬの所定の搬送方向に沿うように配置されることで、レンズシートＬは、搬送方向が一定に維持された状態で搬送される。搬送方向が一定に維持された状態でレンズシートＬが搬送されることで、記録ヘッド１８によるレンズシートＬへの記録を所定の位置に行うことができる。
【００６６】
搬送ローラー１６とプリンタートレイ１４との間隔、及び従属ローラー２０，２２とレンズトレイ１２との間隔は、これらのローラーからレンズシートＬに対して適度な押圧力を作用させることができる間隔となっている。つまり、レンズシートＬをレンズトレイ１２に対して押圧することで、係合部３８とレンチキュラーレンズ２４との係合を確実なものとすることができ、レンズシートＬを搬送する際の左右方向の搬送精度、すなわちレンズシートＬの搬送の直進性を向上させることができる。
【００６７】
特に、例えば、レンズシートＬが上下方向に湾曲している場合には、レンチキュラーレンズ２４と係合部３８との係合が外れ易い。そこで、湾曲したレンチキュラーレンズ２４がレンズトレイ１２から離れないように、搬送ローラー１６及び従属ローラー２０，２２によりレンズシートＬをレンズトレイ１２に対して押圧することで、レンチキュラーレンズ２４と係合部３８との係合状態を保持することができる。一方、レンズシートＬをレンズトレイ１２に対して強い力で押圧するとプリンタートレイ１４とガイドレール６２との間の摩擦等の搬送負荷が大きくなり、プリンタートレイ１４をスムーズに搬送することができなくなる。そこで、スムーズにプリンタートレイ１４を搬送できるように搬送負荷を考慮しながら、確実にレンチキュラーレンズ２４と係合部３８との係合状態を維持できるような適度な押圧力が作用するように搬送ローラー１６とプリンタートレイ１４との間隔及び従属ローラー２０，２２とレンズトレイ１２との間隔等を設定する。
【００６８】
例えば、本実施形態では、搬送ローラー１６及び従属ローラー２０，２２の周囲を、弾性を有する肉厚のゴム材により被覆することで搬送ローラー１６及び従属ローラー２０，２２の表面を弾性変形可能に構成するとともに、搬送ローラー１６とプリンタートレイ１４との間の間隔及び従属ローラー２０，２２とレンズトレイ１２との間の間隔を、レンズシートＬとレンズトレイ１２とプリンタートレイ１４とを重ねた厚さより狭く構成することで、搬送ローラー１６及び従属ローラー２０，２２がレンズシートＬをレンズトレイ１２に押圧することとしている。このように構成することで、レンズシートＬが搬送ローラー１６及び従属ローラー２０，２２の間を通過する際に、搬送ローラー１６及び従属ローラー２０，２２のレンズシートＬとの接触部の表面が平らに弾性変形する。この弾性変形の反力によりレンズシートＬはレンズトレイ１２に押圧された状態で、搬送ローラー１６及び従属ローラー２０，２２の回転により搬送されることになる。ゴム材の弾性や肉厚、さらに搬送ローラー１６とプリンタートレイ１４との間の間隔及び従属ローラー２０，２２とレンズトレイ１２との間の間隔を適切に設定することで、レンズシートＬをスムーズに搬送することができるとともに、レンチキュラーレンズ２４を係合部３８に適度な押圧力で押圧することができる。
【００６９】
なお、上述のように搬送ローラー１６及び従属ローラー２０，２２の表面を弾性変形可能に構成した場合には、搬送ローラー１６及び従属ローラー２０，２２とプリンタートレイ１４との間の間隔を、いわゆるコピー用紙等の紙媒体を搬送することができる間隔に設定しながら、レンズシートＬについては、上述の押圧力を作用させながら搬送させることができる。
【００７０】
コピー用紙等の紙媒体の厚さが０．１ｍｍ程度であるのに対し、レンズシートＬは、レンチキュラーレンズ２４を形成する必要があるため、厚さが０．５ｍｍ程度と厚いものとなっている。したがって、該間隔を、紙媒体を搬送できる狭い間隔に設定しておくことで、搬送対象が紙媒体であるときは、この紙媒体を搬送することができる。一方、搬送対象が厚いレンズシートＬであるときは、搬送ローラー１６及び従属ローラー２０，２２のレンズシートＬとの接触部が弾性変形し、レンズシートＬをレンズトレイ１２にゴム材の弾性変形の反力で押圧した状態で搬送することができる。
【００７１】
なお、搬送ローラー１６及び従属ローラー２０，２２は、レンズシートＬの左右の幅よりも長いものとされている。そのため、レンズシートＬを広い範囲に亘って均一に係合部３８に押圧することができ、レンチキュラーレンズ２４と係合部３８との係合状態をより確実なものとすることができる。
【００７２】
なお、プリンタートレイ１４及びレンズトレイ１２の各嵌合部３０，３２の位置は、搬送時、記録ヘッド１８の下を通過しない領域にあってもよい。又は、プリンタートレイ１４及びレンズトレイ１２の各嵌合部３０，３２は、記録ヘッド１８より後方に侵入しないような構成であってもよい。これによれば、プラテンギャップを大きくとる必要がなくなる。また、嵌合部３０，３２の強度を容易に確保することができ、レンズシートＬへの記録位置の精度が向上する。
また、プリンタートレイ１４には、レンズトレイ１２の他、用紙スタッカー（図示せず）に装填するような薄い印刷用紙や、厚紙等の折り曲げが困難な印刷媒体を装填することもできる。
【００７３】
ところで、印刷用紙あるいはレンズシートＬ等の印刷媒体の印刷面と記録ヘッド１８との間の距離（間隔）、いわゆるプラテンギャップは、印刷媒体の厚さに依らず規定の距離にする必要がある。規定のプラテンギャップからずれた位置で印刷を行うとインク滴が所定の位置に塗付されない等により所定の印刷画像が形成されない虞がある。そこで、プリンター２には、印刷媒体の厚さに依らず規定のプラテンギャップになるように、キャリッジ軸（図示せず）を、上下方向に変位させるための図示を省略するプラテンギャップ調整機構が設けられている。
【００７４】
プラテンギャップ調整機構は、図示を省略するプラテンギャップ調整用レバーを操作することにより、キャリッジ軸が、プラテンギャップ調整用レバーの操作位置に対応した上下の位置に変位するようになっている。搬送される印刷媒体の厚さ（レンズトレイ１２に印刷媒体を載置している場合には、印刷媒体を含めたプリンタートレイ１４及びレンズトレイ１２の厚さ）に応じて、プラテンギャップ調整用レバーを操作して、搬送される印刷媒体と記録ヘッド１８とのプラテンギャップが規定の距離になるようにする。
【００７５】
なお、記録ヘッド１８と印刷面とのプラテンギャップの設定は、上述のようにプラテンギャップ調整用レバーを操作して手動で切り換える他、光の投受光を利用した光センサー等のセンサー手段により記録ヘッド１８と印刷媒体の印刷面との距離を検出し、この検出距離に基づいて、モーター駆動により自動でキャリッジ軸を上下させる自動プラテンギャップ調整機構としてもよい。
【００７６】
図１３は、レンズトレイ付レンズシートを示す図である。図１３に示すように、レンズシートＬにレンズトレイ１２を取り付けてレンズトレイ付レンズシートとしてもよい。
【００７７】
本実施形態によれば、レンズトレイ１２とプリンタートレイ１４とを用い、レンズトレイ１２の載置面４０にレンズシートＬと係合する係合部３８を設けることで、レンズシートＬの凹凸状の凹凸合わせがやりやすくなるプリンター２を提供できる。
【符号の説明】
【００７８】
２…プリンター（印刷媒体搬送装置）  １０…筐体  １２…レンズトレイ（印刷媒体搬送用トレイ）  １４…プリンタートレイ（搬送手段）  １６…搬送ローラー  １８…記録ヘッド  ２０，２２…従属ローラー  ２４…レンチキュラーレンズ  ２６…画像形成層  ２８…給紙開口部  ３０…レンズトレイ嵌合部（嵌合部）  ３２…プリンタートレイ嵌合部（嵌合部）  ３８…係合部  ４０…載置面  ４２…接着部  ４４…基板  ４６…レンズ要素  ４８…凸条  ５０…ガイド裏面  ５２…凹み  ５４…空洞  ５６…円柱凸  ５８…穴  ６０…プリンター接合部  ６２…ガイドレール  ６４…ガイドレール設置部  ６６…ガイド保持部  ６８…回転軸部  ７０…バネ  ７２…マイクロメーター  ７４…ベアリング部  ７６…ベアリング  Ｌ…レンズシート（レンズ型記録媒体）  Ｒ…部分  Ｘ，Ｙ，Ｚ…矢印。
【図１２】
2011201217.tif 000003
【図１３】
2011201217.tif 000004
【図１】
2011201217.tif 000005
【図２】
2011201217.tif 000006
【図３】
2011201217.tif 000007
【図４】
2011201217.tif 000008
【図５】
2011201217.tif 000009
【図６】
2011201217.tif 000010
【図７】
2011201217.tif 000011
【図８】
2011201217.tif 000012
【図９】
2011201217.tif 000013
【図１０】
2011201217.tif 000014
【図１１】
2011201217.tif 000015